(57)【要約】【課題】上下層構造の着色液体の移動を伴う表示装置であって、着色液体の移動応答性能が高い場合でも、同一の表示状態を容易に安定維持することが可能になる低消費電力で高コントラストな見やすい表示装置を提供する。【解決手段】上下層空間１４ａ，１４ｂの間で着色液体１７を移動させるときには、各電極板（１）１１ａ〜（３）１１ｃ間に高い電圧（Ｖ１）（Ｖ３）を印加して強い液体移動力を生じさせ、この液体移動後は低い電圧（Ｖ２）（Ｖ４）を印加して同じ表示状態を維持するようにしたので、強い外力が加わった場合や着色液体１７の移動応答性能が高い場合であっても、表示内容を変えない限りは高い電圧を加える必要なく着色液体１７の勝手な移動を阻止することができ、低消費電力で高コントラストな表示装置を実現できる。【選択図】      図２
2006106502.tif 000002
【特許請求の範囲】
【請求項１】
水平隔壁を介して１画素単位で上下分離された上層空間および下層空間と、
前記上層空間に設けられた第１電極と、
前記下層空間に設けられた第２電極と、
前記水平隔壁に内蔵された第３電極と、
前記上層空間と下層空間とを連通させる移動ホールと、
前記空間内に封入され、前記第１乃至第３電極に対し選択的に電圧を掛けることにより、前記移動ホールを通して前記上層空間または下層空間の何れか一方の空間に移動する濡れ特性の高い誘電体の着色液体と、
この着色液体を前記上下層空間の間で移動させるときに前記各電極間に第１の電圧を印加する液体移動時電圧印加手段と、
前記着色液体を前記上下層空間の何れか一方の空間で保持するときに前記各電極間に前記第１の電圧より電力量の少ない第２の電圧を印加する液体保持時電圧印加手段と、
を備えたことを特徴とする表示装置。
【請求項２】
前記液体保持時電圧印加手段は、前記第１の電圧より低い第２の電圧を印加することを特徴とする請求項１に記載の表示装置。
【請求項３】
前記液体保持時電圧印加手段は、前記第１の電圧をパルス状にした第２の電圧を印加することを特徴とする請求項１に記載の表示装置。
【請求項４】
前記液体保持時電圧印加手段は、前記第１の電圧より低いパルス状にした第２の電圧を印加することを特徴とする請求項１に記載の表示装置。
【発明の詳細な説明】
【技術分野】
【０００１】
本発明は、着色された液体を電極間で移動させて表示を行う表示装置に関する。
【背景技術】
【０００２】
従来、低消費電力で表示動作する表示装置としては、液晶表示装置以外でも様々な表示装置が研究されているが、近年では、着色された誘電体の液体を電極間で挟み移動させ、着色の有無を視認させることで表示を行う表示装置が考えられている（例えば、特許文献１参照。）。
【０００３】
この表示装置は、複数の容器内の一部に着色液体を充填して容器内に気泡を形成し、着色液体を静電力による駆動手段で移動させることに伴い気泡の位置も移動させ、これを視認可能な容器の表示部を画素として用いるものである。
【０００４】
このような着色液体を静電力によって移動させるようにした表示装置では、駆動電圧を下げて省電力化したり、表示切替の応答性能を上げたりするために、着色液体の移動を如何にスムーズに行うかが構造や素材など様々な観点から改良模索されている。
【特許文献１】特開平０８−２５４９６２号公報
【発明の開示】
【発明が解決しようとする課題】
【０００５】
しかしながら、前記従来の着色液体を静電力によって移動させるようにした表示装置にあって、当該着色液体の移動がスムーズに行われるように改良すると、表示の切替が応答性良く行われるようになるものの、電圧印加に伴う力の作用だけでなく、熱運動や振動などの外力の影響によっても着色液体が勝手に移動してしまうおそれがあり、表示状態を維持するのが困難になる問題がある。
【０００６】
本発明は、前記のような問題に鑑みなされたもので、上下層構造の着色液体の移動を伴う表示装置であって、着色液体の移動応答性能が高い場合でも、同一の表示状態を容易に安定維持することが可能になる低消費電力で高コントラストな見やすい表示装置を提供することを目的とする。
【課題を解決するための手段】
【０００７】
本発明の請求項１に記載の表示装置では、第２電極と第３電極をゼロ電位とし、第１電極に正電位（第１の電圧）を掛けることで上層空間に電場を与えると、誘電体の着色液体が移動ホールを通して上層空間へ移動されて着色表示の状態となり、この後に第１の電圧より電力量の少ない第２電圧を同第１電極に掛けることで、上層空間へ移動された着色液体は保持され着色表示の維持状態となる。一方、第１電極と第３電極をゼロ電位とし、第２電極に正電位（第１の電圧）を掛けることで下層空間に電場を与えると、誘電体の着色液体が移動ホールを通して下層空間へ移動されて無着色表示の状態となり、この後に第１の電圧より電力量の少ない第２電圧を同第２電極に掛けることで、下層空間へ移動された着色液体は保持され無着色表示の維持状態となる。
【０００８】
これによれば、移動応答性能が高い着色液体であっても、表示内容を変更しないときには、液体移動時に掛ける第１の電圧より電力量の少ない第２の電圧を掛けて着色液体を一方の空間で保持し、着色表示の状態か無着色表示の状態を確実に維持でき、低消費電力で安定動作可能な高コントラストの表示装置を実現できることになる。
【発明の効果】
【０００９】
本発明の請求項１に係る表示装置によれば、上下層構造の着色液体の移動を伴う表示装置であって、着色液体の移動応答性能が高い場合でも、同一の表示状態を容易に安定維持することが可能になる低消費電力で高コントラストな見やすい表示装置を提供できる。
【発明を実施するための最良の形態】
【００１０】
以下図面により本発明の実施の形態について説明する。
【００１１】
（第１実施形態）
図１は、本発明の第１実施形態に係る表示装置の１画素対応の構成を示す断面図である。
【００１２】
図２は、前記第１実施形態に係る表示装置の表示動作を説明するための断面図であり、同図（Ａ）は白色表示状態を示す断面図、同図（Ｂ）は黒色表示状態を示す断面図である。
【００１３】
この表示装置は、１画素につき１辺ｗの正方形の第１電極板（１）１１ａ、第２電極板（２）１１ｂを備え、この第１電極板（１）１１ａと第２電極板（２）１１ｂとは、この表示画素の周囲を正方形に囲む高さ２ｄ＋ｄｍの垂直隔壁（誘電体）１２に対応した空間を介して当該画素の表面側と裏面側とに平行にして対向配置される。
【００１４】
この第１電極板（１）１１ａと第２電極板（２）１１ｂとによる対向空間の中央部分には、当該各電極板（１）１１ａ，（２）１１ｂと同一の大きさの１辺ｗの正方形の第３電極板（３）１１ｃが平行配置されると共に、この第３電極板（３）１１ｃを間に挟み込んだ１辺ｗ×高さｄｍの正方形の水平隔壁（誘電体）１３が平行配置され、それぞれ高さｄの上層空間１４ａと下層空間１４ｂが形成される。
【００１５】
第３電極板（３）１１ｃおよび水平隔壁１３の中心位置には、一辺ｈｗ（＜＜ｗ）の正方形の移動ホール１５が設けられ、上層空間１４ａと下層空間１４ｂとが一部連通される。
【００１６】
前記第１電極板（１）１１ａは透明電極であり、この第１電極板（１）１１ａは画素表面を構成するガラス板１６により被覆される。また水平隔壁１３および垂直隔壁１２は、何れも白色に着色される。
【００１７】
そして、上層空間１４ａおよび下層空間１４ｂからなる一連の空間１４ａ，１４ｂの内部には、当該一連空間１４ａ，１４ｂの容積の略半分の量で黒色に着色した液体（誘電体）１７が封入される。
【００１８】
この表示装置では、後述にて説明するように、第１〜第３電極板（１）１１ａ〜（３）１１ｃに対して駆動電圧Ｖ１，Ｖ２，Ｖ３，Ｖ４を選択的に印加することで、着色液体（誘電体）１７を上層空間１４ａの側または下層空間１４ｂの側へ移動させ、図２（Ａ）に示すように、下層空間１４ｂの側へ移動させた場合には、画素表面からみて白色表示の状態となり、図２（Ｂ）に示すように、上層空間１４ａの側へ移動させた場合には、画素表面からみて黒色表示の状態となる。
【００１９】
なお、着色液体（誘電体）１７を、図２（Ａ）に示すように、下層空間１４ｂの側へ移動させた場合には、移動ホール１５の位置に着色液体１７の見える状態となるが、当該移動ホール１５の面積ｈｗ2は白色着色された水平隔壁１３の全体面積ｗ2に比較して非常に小さいため、当該水平隔壁１３の白色に埋もれて認識されない。
【００２０】
次に、前記構成の第１実施形態の表示装置における表示動作について、より詳細に説明する。
【００２１】
誘電体である着色液体１７に電場が掛かると、この液体１７は分極する。分極した着色液体１７にかかっている電場が一様ではない(空間的に変化している)ところでは、着色液体１７はその分極の向きと電場成分の偏微分との関係に応じて電場から力を受ける。
【００２２】
着色液体１７の各部分が受ける力の大きさと向きは、着色液体１７の各部分の分極を双極子モーメントで近似し、各双極子モーメントの成分とそれぞれの双極子の位置での電場成分の偏微分とから考察できる。
【００２３】
双極子モーメントをＰ、電場をＥ、双極子が受ける力をＦとしたとき、
Ｆ＝（Ｐ・∇）Ｅ
である（Ｐ、Ｅ、Ｆはベクトル、∇はナブラ）。
【００２４】
このため、上層空間１４ａ、下層空間１４ｂ、移動ホール１５の中に適切な電場（電位の変化）を作り出すことで、着色液体１７を上層空間１４ａから下層空間１４ｂへ、あるいは下層空間１４ｂから上層空間１４ａへと移動させる原動力が得られる。
【００２５】
図３は、前記第１実施形態の表示装置において第２電極板（２）１１ｂと第３電極板（３）１１ｃを０Ｖとし第１電極板（１）１１ａに１０Ｖの正電圧（Ｖ３）を印加した場合の画素内空間の電位分布イメージを示す図である。
【００２６】
この図３で示した電位分布イメージ図は、画素内空間断面の各点での電位を三次元的に表現した図である。
【００２７】
画素内空間断面の各点での電位は上方向の高さで表され、三次元の図の底面を構成する辺のうち、図示手前側の長辺（横軸）が第２電極板（２）１１ｂに対応する位置であり、当該軸上での電位は０Ｖとなる。また、図示奥側にあるこれと平行な長辺が第１電極板（１）１１ａに対応する位置であり、当該軸上での電位は１０Ｖとなる。すなわち、この２つの長辺に直交する短辺に沿う方向に、奥側が上層の電位、手前側が下層の電位、その半分あたりのところが水平隔壁層の電位となる。
【００２８】
上層空間１４ａでは、第１電極板（１）１１ａの１０Ｖから第３電極板（３）１１ｃの０Ｖ近くへと急激に電位が変化するが、移動ホール１５の位置に対応した中央付近の上層部分ではそれより緩やかに電位が変化し、下層部分で更になだらかに変化して第２電極板（２）１１ｂで０Ｖとなる。そして、移動ホール１５の下方あたりを除く下層空間１４ｂの電位はどこも略０Ｖである。
【００２９】
図４は、前記図３で示した画素内空間の電位分布イメージに対応する電場分布イメージを示す図である。
【００３０】
電場については、電位の傾きから求めることができる。
【００３１】
この図４における３次元の電場分布イメージ図では、上方向の高さが電場の強さ（大きさ・絶対値）を表すもので、第１電極板（１）１１ａ側の上層空間１４ａの電場は非常に強いが、第２電極板（２）１１ｂ側の下層空間１４ｂの電場は非常に弱いことが分かる。
【００３２】
上層空間１４ａに対応する電場同士を比べると、移動ホール１５の上あたりの電場はそれ以外の電場より弱い。移動ホール１５の上下方向に対応した電場については、上層空間１４ａ、移動ホール１５内、下層空間１４ｂと下に行くほど電場は弱くなる。下層空間１４ｂでは移動ホール１５の下から外側にいくほど電場は弱くなり、移動ホール１５から離れた水平隔壁の下では電場は殆どない。
【００３３】
すなわち、図２（Ａ）に示すように、最初、着色液体１７がすべて下層空間１４ｂにあるときに、図２（Ｂ）に示すように、第２電極板（２）１１ｂと第３電極板（３）１１ｃを０Ｖにして第１電極板（１）に１０Ｖの正電圧（Ｖ３）を印加すると、図４で示した電場分布イメージからも分かるように、移動ホール１５から離れたところの液体１７はほとんど分極しないが、移動ホール１５の中と移動ホール１５の下とその周辺の液体１７が分極する。この着色液体１７における分極の大雑把な方向は、図３で示した電位分布イメージから推測可能である。
【００３４】
この際、移動ホール１５内の液体１７と移動ホール１５の下方の液体１７には略上向き、また下層の液体１７で移動ホール１５の下方より外側の液体１７には概ね移動ホール１５の下方へと向かう力が加わる。これにより移動ホール１５にある液体１７は上層空間１４ａへと上がり、また移動ホール１５の下方にある液体１７は当該移動ホール１５へと上がり、さらに移動ホール１５下方の外側にある液体１７は移動ホール１５の下方へと入って行く。
【００３５】
そして、移動ホール１５から上層空間１４ａに上がってきた着色液体１７は、同じ原理による力を受けて、その一部は更に上へ、一部は移動ホール１５の上から離れて第１電極板（１）１１ａと水平隔壁１３で挟まれた空間の奥へと入って行く。
【００３６】
この際、上層空間１４ａである水平隔壁１３の上に入って来た着色液体１７は、そこの強い電場により強く分極はするが、当該電場は端のあたりを除いて略一様なので特には力を受けない。しかし、移動ホール１５を介して後から次々と上がって上層空間１４ａに入って来る着色液体１７に押される形で上層空間１４ａの端の方へと移動して行く。
【００３７】
一方、水平隔壁１３の下にある下層空間１４ｂでの大部分の着色液体１７については、当該下層空間１４ｂの電場は略零なので殆ど力を受けない。しかし、液体１７には表面張力によりひとつになろうとする力が働くので、これら下層部分の液体１７も、前記移動ホール１５を通り上層空間１４ａへと移動する液体１７に引っ張られて当該移動ホール１５の方向へと動いていく。
【００３８】
このように、第２電極板（２）１１ｂと第３電極板（３）１１ｃを０Ｖにして第１電極板（１）に１０Ｖの正電圧（Ｖ３）を印加することにより得られる電場空間と着色液体１７の表面張力、および後ろから押される力などの総合作用の結果、全体としての着色液体１７は、電場の弱い下層空間１４ｂの領域から電場の強い上層空間１４ａの領域へと移動して、図２（Ｂ）に示すような表示状態に切り替わる。
【００３９】
一方で、図２（Ｂ）に示すように、着色液体１７がすべて上層空間１４ａにあるときに、これを全て下層空間１４ｂへと移動させる時には、図２（Ａ）に示すように、第１電極板（１）１１ａと第３電極板（３）１１ｃに０Ｖ、第２電極板（２）１１ｂに１０Ｖの正電圧（Ｖ１）を印加すればよく、前記同様の原理によって着色液体１７は下層空間１４ｂへと移動して、同図２（Ａ）に示すような表示状態に切り替わる。
【００４０】
そして、この表示装置では、着色液体１７を一旦上層空間１４ａまたは下層空間１４ｂに移動させてしまうと、各電極板（１）１１ａ〜（３）１１ｃ間に高い電圧（例えば、Ｖ１やＶ３）を掛けたままにしなくても、その表示状態を維持するのが容易である。
【００４１】
すなわち、例えば各電極板（１）１１ａ〜（３）１１ｃに対する印加電圧を全て０Ｖにした場合には、表示画素空間内のすべての点で電位は０Ｖであり電場が無いので、着色液体１７は電場から全く力を受けることはないが、次のような力が寄与して上層空間１４ａまたは下層空間１４ｂに移動しきった着色液体１７はその場所に止まろうとする。
【００４２】
通常、液体（１７）には表面張力により一つになり丸まろうとする性質があるが、この表示画素空間内の着色液体１７の体積はとても小さいのでその影響は大きい。上層空間１４ａまたは下層空間１４ｂへと移動し終えて一つに纏まった液体１７が、移動ホール１５を通って再び他方の層の空間へと入り込むには、この表面張力によって一つになり丸まろうとする性質の力に逆らわなければならない。
【００４３】
すなわち、この表示装置における着色液体１７の表面張力は、当該液体１７が現在の層の空間内に止まろうとする力として寄与する。また、移動ホール１５は非常に小さいので、ここを通過する着色液体１７は通過摩擦などによる抵抗力を受け、この通過摩擦などによる抵抗力も当該液体１７が現在の層の空間内に止まろうとする力として寄与する。さらに、着色液体１７は、それが接している上下や横の面との付着力も当該液体１７が現在の層の空間内に止まろうとする力として寄与する。
【００４４】
このように、水平隔壁１３の移動ホール１５を介して上下分離した上層空間１４ａと下層空間１４ｂのそれぞれにおける着色液体１７の表面張力や静止力として働く付着力等の寄与により、通常の重力や熱運動や振動などによる外力が加わった場合でも、この着色液体１７が他の層の空間へ勝手に移動してしまうのを阻止することができる。
【００４５】
従って、通常の使用環境において、同じ表示状態を維持するときには、省電力化の観点からも各電極板（１）１１ａ〜（３）１１ｃに高い電圧（例えばＶ１やＶ３）を印加しておく必要はない。
【００４６】
一方、通常の使用環境においても、例外的に熱運動や振動などによる大きな外力が加わった場合、同じ表示状態を維持するときであっても各電極板（１）１１ａ〜（３）１１ｃに全く電圧を印加しないと、着色液体１７が勝手に移動してしまう可能性がある。
【００４７】
このため、この表示装置では、図５に示すように、着色液体１７の移動によって表示の切替を行うときだけ各電極板（１）１１ａ〜（３）１１ｃ間に高い電圧（例えばＶ１やＶ３）を印加し、液体移動後にその表示状態を維持するときには、着色液体１７のある空間の電極板間にのみ低い電圧（例えばＶ２やＶ４）を印加して、省電力性能を保ちつつ着色液体１７を同空間内に保持し勝手な移動を阻止する。
【００４８】
図５は、前記第１実施形態の表示装置の表示動作に伴う電圧印加状態を示すタイミングチャートである。
【００４９】
すなわち、図２（Ｂ）で示したように、着色液体１７を上層空間１４ａへ移動させて黒色表示を行うときには、タイミングｔ１で示すように、第１電極板（１）１１ａと第２電極板（２）１１ｂ（および第３電極板（３）１１ｃ）との間に高い正電圧Ｖ３を印加して着色液体１７を下層空間１４ｂから上層空間１４ａへ高速且つスムーズに移動させる。
【００５０】
そして、前記着色液体１７を上層空間１４ａへ移動させた後の黒色表示状態を維持するときには、タイミングｔ２で示すように、当該上層空間１４ａを挟む第１電極板（１）１１ａと第２電極板（２）１１ｂ（および第３電極板（３）１１ｃ）との間に低い正電圧Ｖ４を印加して着色液体１７を確実に上層空間１４ａに保ち黒色表示状態を維持する。
【００５１】
また、図２（Ａ）で示したように、着色液体１７を下層空間１４ｂへ移動させて白色表示を行うときには、タイミングｔ３で示すように、第２電極板（２）１１ｂと第１電極板（１）１１ａ（および第３電極板（３）１１ｃ）との間に高い正電圧Ｖ１を印加して着色液体１７を上層空間１４ａから下層空間１４ｂへ高速且つスムーズに移動させる。
【００５２】
そして、前記着色液体１７を下層空間１４ｂへ移動させた後の白色表示状態を維持するときには、タイミングｔ４で示すように、当該下層空間１４ｂを挟む第２電極板（２）１１ｂと第１電極板（１）１１ａ（および第３電極板（３）１１ｃ）との間に低い正電圧Ｖ２を印加して着色液体１７を確実に下層空間１４ｂに保ち白色表示状態を維持する。
【００５３】
なお、この表示装置は、白色表示／黒色表示に応じて着色液体１７を移動させる空間を、水平隔壁１３の移動ホール１５を介して上下分離した上層空間１４ａと下層空間１４ｂとしたので、その空間が横に設けられている場合に比べて、表示として利用できる面積（開口率）を大きくとることができる。
【００５４】
したがって、前記構成の第１実施形態の表示装置によれば、上下層空間１４ａ，１４ｂの間で着色液体１７を移動させるときには、各電極板（１）１１ａ〜（３）１１ｃ間に高い電圧（Ｖ１）（Ｖ３）を印加して強い液体移動力を生じさせ、この液体移動後は低い電圧（Ｖ２）（Ｖ４）を印加して同じ表示状態を維持するようにしたので、強い外力が加わった場合や着色液体１７の移動応答性能が高い場合であっても、表示内容を変えない限りは高い電圧を加える必要なく着色液体１７の勝手な移動を阻止することができ、低消費電力で安定動作可能な高コントラストで見やすい表示装置を実現できる。
【００５５】
また、前記構成の第１実施形態の表示装置によれば、表示変化に伴い着色液体（誘電体）１７の移動を開始する前の状態において、移動ホール１５の中にまで黒色液体１７が入る構成としたので、移動ホール１５内の電場から発生する比較的強い力を移動開始最初から利用でき、着色液体１７全体の移動を速くすることができる。
【００５６】
また、各電極板１１ａ，１１ｂ，１１ｃを上層と下層を分離構成する広い領域に面して設けたので、当該各電極板１１ａ，１１ｂ，１１ｃの面積を広く、各電極板１１ａ，１１ｂ，１１ｃ間の距離を狭くでき、強い電場を広い領域に作り出すことができる。
【００５７】
また、着色液体（誘電体）１７の移動先の層の電極板から出た電気力線の一部が、移動ホール１５を通って移動元の層へと抜けて、当該移動元の層の電極板に広がりながら到達するように構成したので、移動元の層では液体１７を移動ホール１５へと導く力を、移動先の層では液体１７を移動ホール１５から離れる方向へと導く力を、それぞれ簡単に生み出すことができる。
【００５８】
なお、前記第１実施形態の表示装置では、図５のタイミングｔ２またはタイミングｔ４で示したように、着色液体１７を移動後の一方の空間にて保持し同じ表示状態を維持するときには、液体移動時より大幅に低い電圧Ｖ２またはＶ４を連続的に印加するものとして構成したが、次の図６に示すように、液体移動時ｔ１またはｔ３と同じ電圧レベルＶ１またはＶ３であっても、これをパルス状に印加することで、省電力性能を保ちつつ着色液体１７の勝手な移動を阻止する構成としてもよい。
【００５９】
図６は、前記第１実施形態の表示装置の表示動作に伴う電圧印加状態の変形例を示すタイミングチャートである。
【００６０】
なお、図６で示したように、同じ表示状態を維持するときにパルス状にして印加する高い電圧レベルＶ１またはＶ３を、同パルス状の低い電圧レベルＶ２またはＶ４として、さらなる省電力化を図る構成としてもよい。
【００６１】
なお、前記第１実施形態の表示装置において、移動ホール１５を設ける位置は水平隔壁１３および第３電極板（３）１１ｃの中央でなくてもよい。移動ホール１５の大きさや形状は異なっていてもよい。移動ホール１５は複数あってもよい。
【００６２】
また、上層空間１４ａと下層空間１４ｂの形状が異なっていても、その空間容量が同じであればよい。
【００６３】
また、第１電極板（１）１１ａの下面や第２電極板（２）１１ｂの上面に、着色液体１７との間に入る誘電体の層を設けてもよい。
【００６４】
また、前記第１実施形態の表示装置では、第３電極板（３）１１ｃは水平隔壁１３の中に挟み込むようにして設けたが、水平隔壁１３の上面や下面に設けてもよい。
【００６５】
また、前記第１実施形態の表示装置において、表示画素の平面形状は正方形として構成したが、長方形など他の形状であってもよい。
【００６６】
また、電極板の数は３つに限定されるものではなく、着色液体（誘電体）１７を上層空間１４ａと下層空間１４ｂとの間で電場の強さの違いにより移動させるものであれば、それ以上の極板数あるいはそれ以下の極板数であってもよい。
【００６７】
また、前記第１実施形態の表示装置では、各電極板（１）１１ａ〜（３）１１ｃは何れも表示領域にぴったり当て嵌まる面積として構成したが、表示領域より狭い面積でもよい。あるいは、表示領域より広い面積として垂直隔壁１２に食い込むように構成してもよく、特に、第３電極板（３）１１ｃを大きくして着色液体１７の移動先の層から移動元の層に外側から電場が入り込むのを防ぐ構成としてもよい。
【００６８】
なお着色液体（誘電体）は青、赤等の黒以外の色の着色であって良いし、水平、垂直の隔壁も白以外の色で着色されても構わない。
【００６９】
（第２実施形態）
図７は、本発明の第２実施形態に係る表示装置の１画素対応の構成を示す断面図であり、同図（Ａ）は黒色表示状態を示す断面図、同図（Ｂ）は白色表示状態を示す断面図である。
【００７０】
この第２実施形態の表示装置において、前記図１、図２で示した第１実施形態の表示装置と同一の構成部分については、それと同一の符号を付してその説明を省略する。
【００７１】
この第２実施形態の表示装置では、一辺ｗの正方形の第１電極板（１）１１ａと第２電極板（２）１１ｂとに挟まれて上層空間１４ａと下層空間１４ｂとを分離する水平隔壁（誘電体）１３′および第３電極板（３）１１ｃ′を、縦×横がｗ×（ｗ−ｈｗ′）の長方形として表示領域の一方の側の垂直隔壁１２の内側面に寄せて配置し、移動ホール１５′は縦×横がｗ×ｈｗ′の細長い長方形の連通孔として表示領域の他方の端の垂直隔壁１２の内側面に沿わせて設ける。
【００７２】
また、第２実施形態の表示装置では、前記第１実施形態の表示装置とは逆に、水平隔壁１３′を黒色とし、着色液体（誘電体）１７′を白色の液体１７′として、図７（Ｂ）に示すように、着色液体１７′を上層空間１４ａに移動させた状態で白色表示、図７（Ａ）に示すように、下層空間１４ｂに移動させた状態で黒色表示とする。これにより、移動ホール１５′の面積が第１実施形態の移動ホール１５に較べて細長く広くても、着色液体１７′を下層空間１４ｂに移動させた黒色表示の際には、当該移動ホール１５′に対応した部分は表示領域の端の垂直隔壁１２の白色壁面に沿った白色となるので目立つことはない。
【００７３】
なお、この第２実施形態の表示装置において、着色液体１７′を上下層空間１４ａ，１４ｂの間で移動させるときと、液体移動後に一方の空間１４ａ（１４ｂ）にて着色液体１７′を保ち同じ表示状態を維持するときには、前記図５または図６で示した第１実施形態の表示装置の場合と同様に駆動電圧を印加することになるが、当該図５および図６で示す（黒色表示）の記載と（白色表示）の記載とを入れ替えて見ればよい。
【００７４】
図８は、前記第２実施形態の表示装置において第２電極板（２）１１ｂと第３電極板（３）１１ｃ′を０Ｖとし第１電極板（１）１１ａに１０Ｖの正電圧（Ｖ３）を印加した場合の画素内空間の電位分布イメージを示す図である。
【００７５】
図９は、前記図８で示した画素内空間の電位分布イメージに対応する電場分布イメージを示す図である。
【００７６】
図８、図９にて示す通り、この際の電場は、第３電極板（３）１１ｃ′の上層側で最も強く、同第３電極板（３）１１ｃ′の下層側では殆どゼロとなり、移動ホール１５′を含めたその上下やその近傍には、上層の強い電場と下層の略ゼロの電場をなだらかにつなげるように傾きを持った電場となる。
【００７７】
また、上層側において、移動ホール１５′の上方近辺では当該移動ホール１５′から横にずれるほど電場は強くなり、下層側において、移動ホール１５′の下方近辺では逆に当該移動ホール１５′から横にずれるほど電場は弱くなる。
【００７８】
この場合に、着色液体１７′は、前記第１実施形態で述べたのと同じ原理の力を受け、結果として電場の弱い領域から強い領域へと動いて最終的に上層空間１４ａへ移動し、その着色である白色を表示する。
【００７９】
すなわち、図７（Ｂ）で示したように、着色液体１７′を上層空間１４ａへ移動させて白色表示を行うときには、タイミングｔ１で示すように、第１電極板（１）１１ａと第２電極板（２）１１ｂ（および第３電極板（３）１１ｃ′）との間に高い正電圧Ｖ３を印加して着色液体１７′を下層空間１４ｂから上層空間１４ａへ高速且つスムーズに移動させる。
【００８０】
そして、前記着色液体１７′を上層空間１４ａへ移動させた後の白色表示状態を維持するときには、タイミングｔ２で示すように、当該上層空間１４ａを挟む第１電極板（１）１１ａと第２電極板（２）１１ｂ（および第３電極板（３）１１ｃ′）との間に低い正電圧Ｖ４を印加して着色液体１７′を確実に上層空間１４ａに保ち白色表示状態を維持する。
【００８１】
また、図７（Ａ）で示したように、着色液体１７′を下層空間１４ｂへ移動させて黒色表示を行うときには、タイミングｔ３で示すように、第２電極板（２）１１ｂと第１電極板（１）１１ａ（および第３電極板（３）１１ｃ′）との間に高い正電圧Ｖ１を印加して着色液体１７′を上層空間１４ａから下層空間１４ｂへ高速且つスムーズに移動させる。
【００８２】
そして、前記着色液体１７′を下層空間１４ｂへ移動させた後の黒色表示状態を維持するときには、タイミングｔ４で示すように、当該下層空間１４ｂを挟む第２電極板（２）１１ｂと第１電極板（１）１１ａ（および第３電極板（３）１１ｃ′）との間に低い正電圧Ｖ２を印加して着色液体１７′を確実に下層空間１４ｂに保ち黒色表示状態を維持する。
【００８３】
このような構成にした第２実施形態の表示装置によれば、前記第１実施形態の表示装置と同様に、上下層空間１４ａ，１４ｂの間で着色液体１７′を移動させるときには、各電極板（１）１１ａ〜（３）１１ｃ間に高い電圧（Ｖ１）（Ｖ３）を印加して強い液体移動力を生じさせ、この液体移動後は低い電圧（Ｖ２）（Ｖ４）を印加して同じ表示状態を維持するようにしたので、強い外力が加わった場合や着色液体１７′の移動応答性能が高い場合であっても、表示内容を変えない限りは高い電圧を加える必要なく着色液体１７′の勝手な移動を阻止することができ、低消費電力で安定動作可能な高コントラストで見やすい表示装置を実現できる。
【００８４】
またそればかりでなく、この第２実施形態の表示装置によれば、移動ホール１５′を奥行き方向に長い長方形としたため、当該移動ホール１５′の何処でも略同様の電場状況が得られ、着色液体１７′に対し、より大きな力を与えて効率的に該液体１７′を移動させることができる。
【００８５】
また、この第２実施形態の表示装置によれば、移動ホール１５′を表示領域の端に沿って設けているので、上層空間１４ａおよび下層空間１４ｂでの着色液体１７′の移動は同一空間内の全液体１７′が一方向への移動となり、液体同士の押し合いや引き合いを避け、より効率的に該液体１７′を移動させることができる。
【００８６】
なお、移動ホール１５′を設けた側の垂直隔壁１２に対し、第１電極板（１）１１ａと第２電極板（２）１１ｂとを食い込ませて構成すれば、着色液体１７′に対しより強い電場による力を与えることができ、さらに高速に該液体１７′を移動させることができる。
【００８７】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８８】
【図１】本発明の第１実施形態に係る表示装置の１画素対応の構成を示す断面図。
【図２】前記第１実施形態に係る表示装置の表示動作を説明するための断面図であり、同図（Ａ）は白色表示状態を示す断面図、同図（Ｂ）は黒色表示状態を示す断面図。
【図３】前記第１実施形態の表示装置において第２電極板（２）１１ｂと第３電極板（３）１１ｃを０Ｖとし第１電極板（１）１１ａに１０Ｖの正電圧を印加した場合の画素内空間の電位分布イメージを示す図。
【図４】前記図３で示した画素内空間の電位分布イメージに対応する電場分布イメージを示す図。
【図５】前記第１実施形態の表示装置の表示動作に伴う電圧印加状態を示すタイミングチャート。
【図６】前記第１実施形態の表示装置の表示動作に伴う電圧印加状態の変形例を示すタイミングチャート。
【図７】本発明の第２実施形態に係る表示装置の１画素対応の構成を示す断面図であり、同図（Ａ）は黒色表示状態を示す断面図、同図（Ｂ）は白色表示状態を示す断面図。
【図８】前記第２実施形態の表示装置において第２電極板（２）１１ｂと第３電極板（３）１１ｃ′を０Ｖとし第１電極板（１）１１ａに１０Ｖの正電圧を印加した場合の画素内空間の電位分布イメージを示す図。
【図９】前記図８で示した画素内空間の電位分布イメージに対応する電場分布イメージを示す図。
【符号の説明】
【００８９】
１１ａ…第１電極板（１）
１１ｂ…第２電極板（２）
１１ｃ、１１ｃ′…第３電極板（３）
１２  …垂直隔壁（誘電体）
１３、１３′…水平隔壁（誘電体）
１４ａ…上層空間
１４ｂ…下層空間
１５、１５′…移動ホール
１６  …ガラス板
１７、１７′…着色液体（誘電体）
【図１】
2006106502.tif 000003
【図２】
2006106502.tif 000004
【図３】
2006106502.tif 000005
【図４】
2006106502.tif 000006
【図５】
2006106502.tif 000007
【図６】
2006106502.tif 000008
【図７】
2006106502.tif 000009
【図８】
2006106502.tif 000010
【図９】
2006106502.tif 000011